(57)【要約】      （修正有）【課題】水が腐ることがないように、常に注意をしておく必要がなく、また、低コストで製造することができる水道水確保装置を提供する。【解決手段】蛇口２から供給される水道水は、外部パイプ２０，２１，２２を経由して、ポリ容器１０ａに供給され、ポリ容器１０ａ内が水道水で満たされた後、水道水は、外部パイプ２６を経てポリ容器１０ｂに供給される。そして、水道水はポリ容器１０ｂを満たした後、外部パイプ２７を経由して、洗濯機５の水供給口５ａに供給され、洗濯槽の中に供給される。この洗濯に使用される水道水は、容器１０ａ、１０ｂ内を満たした後、洗濯槽に供給されるので、容器１０ａ、１０ｂ内を満たす水道水は、常に新鮮な流水であり、滞留水ではない。災害が発生し、断水した場合には、この複数個の容器内の水道水を、生活用水として使用することができる。【選択図】図１
0003186245.tif 000002
【実用新案登録請求の範囲】
【請求項１】
密閉構造を有する複数個の容器と、
各容器の壁に２個設けられた第１孔及び第２孔と、
これらの第１孔及び第２孔の周囲の前記容器の壁の部分に、夫々封密的に取り付けられた第１及び第２パイプ取着部材と、
これらの第１及び第２パイプ取着部材の前記容器外の部分に液密的に接続された外部パイプと、
前記第１及び第２パイプ取着部材の前記容器内の部分に液密的に接続された内部パイプと、
を有し、前記容器の内、一方の容器の第２取着部材に接続された外部パイプを、他方の容器の第１取着部材に接続することにより、前記複数個の容器を直列に連結し、直列連結された容器の一方の端部の容器の第１取着部材に接続された外部パイプを、水道水の蛇口に接続し、直列連結された容器の他の端部の容器の第２取着部材に接続された外部パイプを、水道水の使用源に給水できるように配置することを特徴とする水道水確保装置。
【請求項２】
前記蛇口に接続された外部パイプを流れる水道水の流れ方向を変更する切換バルブを有し、この切換バルブを切り換えた場合に、前記切換バルブに接続された直通パイプにより、前記蛇口からの水道水が、直接、使用源に給水されることを特徴とする請求項１に記載の水道水確保装置。
【請求項３】
前記容器は、市販の規格製品であるポリ容器であることを特徴とする請求項１又は２に記載の水道水確保装置。
【考案の詳細な説明】
【技術分野】
【０００１】
本考案は、飲用可能な水道水を常に確保するための水道水確保装置に関する。
【背景技術】
【０００２】
一旦、災害が発生すると、電気及び水道等のライフラインが遮断される。このとき、特に、水道管が破裂して、水道のライフラインが遮断されると、その復旧は、長期間に及ぶことが多い。
【０００３】
この水道のライフラインの遮断に対応するために、各家庭では、市販のペット（ＰＥＴ：ポリエチレンテレフタレート）ボトルに詰められた飲用水を購入して、保管しておいたり、ポリ容器（ポリプロピレン製の容器）に水道水を入れて、これを保管しておくというような対策をとっている。
【０００４】
しかしながら、ポリ容器に水道水を入れておく場合も、また、市販のペットボトル入り飲用水も、長期間の保管中に水が腐ってくるという問題がある。このため、ポリ容器内の水道水は、定期的に入れ替える必要があり、またペットボトル入り飲用水も、定期的に新しいものと入れ替える必要がある。
【０００５】
このような煩雑さを回避するための貯水タンク装置として、特許文献１に記載されたものがある。この従来技術は、水を貯留するタンクと、水供給管の蛇口に接続した蛇口接続部から水をタンクに導入するための導入部と、蛇口に与えられる水供給圧により、流し台上部に位置決めされた第１吸水口からタンク内の水を給水するための導出部と、タンクに取り付けられた第２吸水口とを備えた貯水タンク装置である。この貯水タンク装置は、定常時においては、導入部からタンク内に供給された水は、第１吸水口から、通常の水の使用源に給水されて、通常の水の使用が可能となり、災害時には、第２吸水口から、タンク内の水を給水することにより、断水時の飲用水の供給が可能となる。
【先行技術文献】
【特許文献】
【０００６】
【特許文献１】特開平８−３１８２５８号公報
【考案の概要】
【考案が解決しようとする課題】
【０００７】
しかしながら、この従来の貯水タンク装置は、タンクと、このタンクに対する水道水の供給部材及び排出部材を設置する必要があり、装置全体が大型化すると共に、専用の装置を作成するために、製造コストも高くなるという問題点がある。
【０００８】
本考案はかかる問題点に鑑みてなされたものであって、水が腐ることがないように、常に注意をしておく必要がなく、また、低コストで製造することができる水道水確保装置を提供することを目的とする。
【課題を解決するための手段】
【０００９】
本考案に係る水道水確保装置は、
密閉構造を有する複数個の容器と、
各容器の壁に２個設けられた第１孔及び第２孔と、
これらの第１孔及び第２孔の前記周囲の容器の壁の部分に、夫々封密的に取り付けられた第１及び第２パイプ取着部材と、
これらの第１及び第２パイプ取着部材の前記容器外の部分に液密的に接続された外部パイプと、
前記第１及び第２パイプ取着部材の前記容器内の部分に液密的に接続された内部パイプと、
を有し、前記容器の内、隣接するもの同士を、一方の容器の第２取着部材に接続された外部パイプを、他方の容器の第１取着部材に接続することにより、前記複数個の容器を直列に連結し、直列の一方の端部の容器の第１取着部材に接続された外部パイプを、水道水の蛇口に接続し、直列の他の端部の容器の第２取着部材に接続された外部パイプを、水道水の使用源に給水できるように配置することを特徴とする。
【００１０】
この場合に、前記蛇口に接続された外部パイプを流れる水道水の流れ方向を変更する切換バルブを有し、この切換バルブを切り換えた場合に、前記切換バルブに接続された直通パイプにより、前記蛇口からの水道水が、直接、使用源に給水されるように構成しても良い。また、前記容器は、市販の規格製品であるポリ容器を使用することができる。
【考案の効果】
【００１１】
本考案によれば、水道水を貯留するタンクとして、市販のポリ容器を使用することができ、この容器に第１孔及び第２孔を設けて、この第１孔及び第２孔に夫々第１パイプ取着部及び第２パイプ取着部を空気及び液体が漏出しないように封密的に設置するだけで、水道水確保装置を組み立てることができるので、製造コストが極めて低い。そして、この水道水確保装置を使用すると、蛇口から出る水道水は、常時は、複数個の容器を経由して、例えば、洗濯機等の水道水の使用源に給水される。そして、災害が発生し、断水した場合には、この複数個の容器内の水道水を、生活用水として使用することができる。この場合に、この容器内の水道水は、災害の直前に、蛇口から供給されたものであるので、腐っていることはなく、飲用として十分に使用することができる。また、外部パイプ及び内部パイプを、第１及び第２取着部材から取り外すだけで、容器は、容易に持ち運びすることができ、災害発生後に簡単に必要な箇所の水を運ぶことができる。
【図面の簡単な説明】
【００１２】
【図１】本考案の第１実施形態に係る水道水確保装置を示す斜視図である。
【図２】同じくそのパイプ取着部材を示す正面図である。
【図３】容器を示す図である。
【図４】容器のカバーを示す図である。
【図５】本考案の第２実施形態に係る水道水確保装置を示す斜視図である。
【図６】本考案の第３実施形態に係る水道水確保装置を示す斜視図である。
【考案を実施するための形態】
【００１３】
以下、本考案の実施形態について、添付の図面を参照して具体的に説明する。図１は、本考案の第１実施形態を示す図である。洗濯機５の近傍の若干上方の位置に、２個のポリ容器１０ａ，１０ｂが設置されている。このポリ容器１０ａ，１０ｂは、水又は灯油等を収納し、運搬及び保管するための市販の容器であり、例えば、１０Ｌ、１８Ｌ、２０Ｌ用の容量を有する。この容器１０（１０ａ，１０ｂ）には、図３に示すように、２個の入出口３０を設け、キャップ３０ａを螺嵌することにより、封止するようになっている。市販のポリ容器の中には、特に、ウオータータンクといわれるものには、その天板の部分に２個の孔を設け、その孔に外周面にねじ山が形成されて筒状の開閉部を天板部分に一体的に形成したものがあり、内周面にねじ山を形成したキャップをこの開閉部にねじ込むことにより、この開閉部が封止されるようになっている。この場合には、ポリ容器１０の２個の入出口３０は、この２個の開閉部を利用することができる。一方、ポリ容器１０が灯油タンクのように、１個の開閉部しか有しない場合には、備えられている開閉部の他に、他の孔を別途形成し、この孔に、外周面にねじ山が形成された開閉部を接着等により固定する必要がある。いずれにしても、本考案にて使用するポリ容器には、外周面にねじ山が形成された２個の入出口３０が設けられていることが必要である。なお、容器１０ａ，１０ｂとしては、ポリ容器に限らず、種々の容器を使用することができるが、市販のポリ容器を使用することがコストの低減に有効である。
【００１４】
各入出口３０には、パイプ取着部材１１ａ、１２ａ、１１ｂ、１２ｂが取り付けられている。これらのパイプ取着部材１１ａ等は、基本的には、同一構造を有しているので、図２に示すパイプ取着部材１１ａについてその構造を説明する。パイプ取着部材１１ａの基台３１は、市販のキャップではなく、水圧に耐えられるように、耐圧性が高いものを使用することが好ましい。例えば、基台３１として、金属又は高強度樹脂製のものを使用することが好ましい。筒状の側面部分の上端部に円板状の上板が設けられた形状をなす一体成形の部材であり、樹脂又は金属のプレス成形により形成されている。そして、この基台３１の側面部分の内周面にねじ山が形成されている。また、前述の如く、容器１０の入出口３０の筒状部分の外周面にも、ねじ山が形成されており、このねじ山に、基台３１の内周面のねじ山を螺合させて、緊締することにより、この基台３１が入出口３０に固定されるようになっている。
【００１５】
基台３１には、その上板の中心に孔が形成されており、この孔を挿通するようにして、螺棒３５がその軸方向を前記上板に垂直にして配置されている。そして、この螺棒３５に対し、基台３１の上板の上方にパッキン３２ａ及びワッシャ３３ａを嵌合し、上板の下方にパッキン３２ｂ及びワッシャ３３ｂを嵌合し、螺棒３５の上部にナット３４ａを螺合し、螺棒３５の下部にナット３４ｂを螺合して、ナット３４ａ、３４ｂをねじ込むことにより、パッキン３２ａ、３２ｂとワッシャ３３ａ、３３ｂを介して基台３１の上板を緊締する。これにより、螺合３５が基台３１の上板に固定され、ひいては、容器１０の入出口３０に固定される。そして、螺棒３５の上部には、ワンタッチ脱着具３６が着脱可能に取り付けられ、この脱着具３６を介して、外部パイプ４１（外部パイプ２２等）がパイプ取着部材１１ａに着脱自在に連結される。このワンタッチ脱着具３６は、家庭用ホールリールに使用するものを応用することができる。また、螺棒３５の下部には、内部パイプ４２（内部パイプ２４ａ等）が取り付けられている。内部パイプ４２は、ステンレス鋼製又は樹脂製のものが好ましい。容器１０ａ、１０ｂ内で、内部パイプ４２に錆が発生しないようにするためである。外部パイプ４１は、通常の水ホースを使用することができる。
【００１６】
ポリ容器１０ａの第２パイプ取着部材１２ａと、ポリ容器１０ｂの第１パイプ取着部材１１ｂとは、外部パイプ２６により接続されている。また、ポリ容器１０ｂの第２パイプ取着部材１２ｂには、外部パイプ２７の一方の端部接続されており、この外部パイプ２７の他方の端部は、洗濯機５の水供給口５ａに接続されている。
【００１７】
ポリ容器１０ａの第１パイプ取着部材１１ａには、外部パイプ２２が接続されており、この外部パイプ２２は、切換バルブ４及び外部パイプ２１，オン−オフバルブ３及び外部パイプ２０がこの順に直列に接続されている。外部パイプ２０におけるバルブ３の反対側の端部は、水道水の蛇口２に接続されている。この蛇口２から供給される水道水は、バルブ１により、その水量が調節される。バルブ３は、洗濯機に通常設置されている開閉弁である。バルブ１は通常全開に近い状態に設定されているが、バルブ３は、電気信号により、開閉駆動され、バルブ３のオン−オフにより、水道水を洗濯機５に供給したり、又は、洗濯機５への水道水の供給を停止したりすることが切り換えられる。切換バルブ４は、外部パイプ２１により供給された水道水を、外部パイプ２２に供給するか、又は外部パイプ２３に供給するかを選択する弁である。外部パイプ２３は切換バルブ４の反対側の端部が、洗濯機５の洗濯槽の近傍に設けられた水供給口５ｂに接続されている。
【００１８】
なお、図２において図示された外部パイプ４１及び内部パイプ４２は、実際は、図１に示すように、容器１０ａについては、夫々外部パイプ２２及び内部パイプ２４ａと、外部パイプ２６及び内部パイプ２５ａであり、容器１０ｂについては、夫々外部パイプ２６及び内部パイプ２４ｂと、外部パイプ２７及び内部パイプ２５ｂである。容器１０ａ内に設けられた内部パイプ２４ａと、内部パイプ２５ａとは、内部パイプ２４ａの方が、内部パイプ２５ａよりも長くなっている。これは、外部パイプ２２を介して容器１０内に供給された水が、長くて容器底部に届く内部パイプ２４ａの先端から、容器１０ａ内に供給され、短くて容器頭部に近い位置に吸水口がある内部パイプ２５ａから、容器１０ａ外に流出するようにして、容器１０ａに供給された水が容器の底部から上部まで流動するような流れを作ることにより、水が滞留せず、常に新鮮な水が容器１０ａ内に存在するようにするためである。容器１０ｂ内の内部パイプ２４ｂ、２５ｂも、同様の理由で、内部パイプ２４ｂが内部パイプ２５ｂより長い。なお、内部パイプ２４ａ、２４ｂの方が、内部パイプ２５ａ、２５ｂよりも短くなるようにしても良い。このようにした場合には、容器１０ａ、１０ｂ内には、容器１０ａ、１０ｂの上部から下部に向かう水の流れを得ることができ、新鮮な水を容器１０ａ、１０ｂ内に確保することができる。
【００１９】
また、容器１０ａ、１０ｂは前述の如く市販のポリ容器であるが、図４に示すように、樹脂製のハウジング４０内に格納しておいても良い。このハウジング４０の内部に格納されたポリ容器１０ａ、１０ｂは、災害時に、扉４１ａ，４１ｂを開けることにより取り出すことができるが、通常時は、操作する必要はない。
【００２０】
次に、上述のごとく構成された水道水確保装置の動作について説明する。先ず、バルブ１を全開に近い状態にし、切換バルブ４において外部パイプ２２を選択する。そうすると、洗濯時に、バルブ３に水供給信号を出力すると、蛇口２から供給される水道水は、外部パイプ２０，２１，２２を経由して、ポリ容器１０ａに供給され、ポリ容器１０ａ内が水道水で満たされた後、水道水は、外部パイプ２６を経てポリ容器１０ｂに供給される。そして、水道水はポリ容器１０ｂを満たした後、外部パイプ２７を経由して、洗濯機５の水供給口５ａに供給され、洗濯槽の中に供給される。これにより、洗濯が実行される。この洗濯に使用される水道水は、容器１０ａ、１０ｂ内を満たした後、洗濯槽に供給される。よって、容器１０ａ、１０ｂ内を満たす水道水は、常に新鮮な流水であり、滞留水ではない。
【００２１】
なお、切換バルブ４を切り換えて、外部パイプ２３に水道水を供給すると、容器１０ａ、１０ｂには水道水は供給されず、洗濯機５の洗濯槽に外部パイプ２３を介して直接供給される。
【００２２】
次に、災害時に、断水となった場合は、ナット３４ａを緩めて、第１及び第２パイプ取着部材１１ａ、１２ａ、１１ｂ、１２ｂを、容器１０ａ、１０ｂから取り外す。そして、キャップ３０ａ，３０ｂを入出口３０に螺合して、容器１０ａ、１０ｂの入出口３０を閉じる。その後、容器１０ａ、１０ｂを適宜の場所に移送して、容器１０ａ、１０ｂ内の水道水を飲用に供する。これにより、断水時の飲用水を確保することができる。この容器１０ａ、１０ｂ内の水道水は、災害発生時の直前に、蛇口２から供給された水道水であるので、新鮮であり、十分に飲用に使用することができる。従って、ＰＥＴボトル入りの飲用水を購入して、保存しておく必要がなく、このため、水が腐ることを防止するために、ＰＥＴボトル入り飲用水の入れ替えを定期的に行う必要はない。また、容器１０ａ、１０ｂに水道水を入れて、その状態で、保存する場合も、収納水の腐敗が問題となるが、本考案においては、容器１０ａ、１０ｂ内で水道水を保存するのではなく、常に新鮮な水道水が流れているので、水の腐敗が問題となることはない。
【００２３】
更に、本考案の水道水確保装置は、市販のポリ容器を使用して、これにパイプ取着部材を取り付けるだけで組み立てることができるので、製造コストが極めて低い。
【００２４】
次に、図５を参照して、本考案の第２実施形態について説明する。本実施形態は、洗濯機５ではなく、風呂６の給水に適用したものである。本実施形態の水道水確保装置も、ポリ容器１０ａ、１０ｂに、夫々、第１パイプ取着部材１１ａ、第２パイプ取着部材１２ａと、第１パイプ取着部材１１ｂ、第２パイプ取着部材１２ｂが設けられている。第１パイプ取着部材１１ａには、外部パイプ５０が接続され、第２パイプ取着部材１２ｂには、外部パイプ５４が接続されている。第２パイプ取着部材１２ａと第１パイプ取着部材１１ｂとは、外部パイプ５３により接続されており、これにより、容器１０ａ、１０ｂが直列に連結されている。容器１０ａ内には、内部パイプ５１ａ、５２ａが挿入されており、容器１０ｂ内には、内部パイプ５１ｂ、５２ｂが挿入されている。
【００２５】
風呂６には、水又は湯の分岐部５６が設置されており、この分岐部５６の一方の供給部に外部パイプ５０が接続され、他方の供給部に外部パイプ５５が接続されている。この分岐部５６には、水又は湯が供給され、この水又は湯は、分岐部５６から、選択的に、外部パイプ５０又は外部パイプ５５に供給されるようになっている。外部パイプ５５に供給された水又は湯は、直接風呂６のバスタブ内に供給される。また、外部パイプ５４からの水又は湯も、風呂６のバスタブ内に供給される。
【００２６】
本実施形態においても、分岐部５６の通常の設定では、分岐部５６から水又は湯は外部パイプ５０を介して容器１０ａに供給されるようになっている。そして、水又は湯は、容器１０ａ内を満たした後、容器１０ｂを満たし、最終的に、外部パイプ５４を介して、風呂６のバスタブに供給される。そして、災害時には、断水になり、分岐部５６からの水の供給は停止されるが、その際、第１パイプ取着部材１１ａ、第２パイプ取着部材１２ａ、第１パイプ取着部材１１ｂ、第２パイプ取着部材１２ｂを、容器１０ａ、１０ｂから取り外し、容器１０ａ、１０ｂ内の水又は湯を、飲用に供する。この容器１０ａ，１０ｂ内の水又は湯は、災害が発生するまでは、流水として使用されていたものであり、新鮮なものである。よって、この水又は湯は、十分に飲用に供することができる。なお、分岐部５６から外部パイプ５５に水又は湯を供給することにより、この水又は湯を直接バスタブに供給することもできる。
【００２７】
図６は本考案の第３実施形態を示す図である。本実施形態は、台所に水道水確保装置を設置したものである。台所のシンク７の近傍に設けられたキッチン水栓１ａの分岐部４に、外部パイプ５５が接続されている。この外部パイプ５５によりキッチン水栓１ａの水は、切換バルブ４から容器１０ａに供給されるようになっている。切換バルブ４の設定により、キッチン水栓１ａから、直接、水を台所のシンク７に供給することもできるが、通常、水道水は、切換バルブ４から容器１０ａに供給されるように切り換えられている。また、外部パイプ５９は、その端部がシンク７の近傍に設けられた他のキッチン水栓１ｂに接続されている。容器１０ａ、１０ｂは外部パイプ５８で接続され、容器１０ａ、１０ｂ内には、内部パイプ５６ａ、５７ａ、５６ｂ、５７ｂが挿入されている。
【００２８】
このように構成された本実施形態の水道水確保装置も、キッチン水栓１ａから外部パイプ５５を介して容器１０ａに供給され、容器１０ａ、１０ｂを順次満たした後、外部パイプ５９により、シンク７のキッチン水栓１ｂに供給される。よって、容器１０ａ，１０ｂ内には、常に新鮮な水道水で満たされている。このため、災害時には、容器１０ａ、１０ｂから、第１パイプ取着部材１１ａ、第２パイプ取着部材１２ａ、第１パイプ取着部材１１ｂ、第２パイプ取着部材１２ｂを、取り外すことにより、容器１０ａ、１０ｂ内の水道水を飲用に供することができる。
【００２９】
本考案は上記実施形態に限らず、例えば、トイレのように、水を常時使用する設備にも使用することができる。
【符号の説明】
【００３０】
２：蛇口
３：オン−オフバルブ
４：切換バルブ
５：洗濯機
１０ａ、１０ｂ：（ポリ）容器
１１ａ、１１ｂ：第１パイプ取着部材
１２ａ、１２ｂ：第２パイプ取着部材
２０，２１，２２，２６，２７：外部パイプ
２４ａ、２５ａ、２４ｂ、２５ｂ：内部パイプ
【図１】
0003186245.tif 000003
【図２】
0003186245.tif 000004
【図３】
0003186245.tif 000005
【図４】
0003186245.tif 000006
【図５】
0003186245.tif 000007
【図６】
0003186245.tif 000008